(57)【特許請求の範囲】
【請求項１】
１つ又は複数のプロセッサと、
前記１つ又は複数のプロセッサに連結したメモリと、
前記１つ又は複数のプロセッサに連結した近距離無線通信アンテナ（ＮＦＣアンテナ）であって、装置の金属筐体の下に組み込まれたＮＦＣアンテナと、
前記金属筐体上に構築された少なくとも１つのフラクタルスロットと
を備え、
前記少なくとも１つのフラクタルスロットは、非自己ループフラクタル空間充填曲線テンプレートを有し、他のフラクタルスロットと敷き詰められ、少なくとも前記ＮＦＣアンテナの外側境界によって画定された領域をカバーする装置。
【請求項２】
前記金属筐体は、埋め込まれた、又は、取り付けられた導電性コーティングを含み、
前記導電性コーティングは、前記金属筐体と前記ＮＦＣアンテナとの間に位置付けられる請求項１に記載の装置。
【請求項３】
前記少なくとも１つのフラクタルスロットは、導電性コーティングから延び、前記金属筐体を貫通する複数のスライスを含むように構築される請求項１または２に記載の装置。
【請求項４】
前記少なくとも１つのフラクタルスロットは、導電性コーティングの領域を画定し、前記領域は、前記少なくとも１つのフラクタルスロットの両端における接地点を含み、静電気放電（ＥＳＤ）保護を提供する請求項１から３のいずれか一項に記載の装置。
【請求項５】
前記非自己ループフラクタル空間充填曲線テンプレートは、ヒルベルト曲線、ペアノ曲線、ルベーグ曲線（a Lebesque Curve）、又はＨツリー曲線を含む請求項１から４のいずれか一項に記載の装置。
【請求項６】
前記非自己ループフラクタル空間充填曲線テンプレートは、連続的なスロットラインを含み、前記少なくとも１つのフラクタルスロットを画定する請求項１から５のいずれか一項に記載の装置。
【請求項７】
複数の前記フラクタルスロットは、敷き詰められて、導電性コーティングの領域を画定し、前記領域は、渦電流を前記導電性コーティングへ誘電する電磁場の近接範囲をカバーする請求項１から６のいずれか一項に記載の装置。
【請求項８】
前記非自己ループフラクタル空間充填曲線テンプレートは、より小さなスケールの渦電流の流れをカットする幾何パターンを含み、
前記幾何パターンは、より大きなスケールの渦電流を誘導する電磁場の近接範囲によって画定された領域を形成するために更新された変換関数によって画定される請求項１から７のいずれか一項に記載の装置。
【請求項９】
前記フラクタルスロットは、導電性コーティングに渦電流を誘導する電磁場の近接範囲をカバーする領域の異なる四分円に敷き詰められた請求項１から８のいずれか一項に記載の装置。
【請求項１０】
前記少なくとも１つのフラクタルスロットは、前記ＮＦＣアンテナがワイヤレス・フィディリティー（ＷｉＦｉ：登録商標）信号周波数で動作するときに、渦電流への高インピーダンス及び周波数選択性を提供するために調整可能な幅を含む請求項１から９のいずれか一項に記載の装置。
【請求項１１】
複数のフラクタルスロットの下に組み込まれた近距離無線通信アンテナ（ＮＦＣアンテナ）の少なくとも外側ループによって画定された領域をカバーするために他のフラクタルスロットと敷き詰められたフラクタルスロットであって、非自己ループフラクタル空間充填曲線形状を有するフラクタルスロットと、
前記ＮＦＣアンテナ及び前記敷き詰められた複数のフラクタルスロットの間に組み込まれた導電性コーティングと
を備える装置筐体。
【請求項１２】
前記フラクタルスロットは、金属筐体又はカーボンファイバー筐体に構築される請求項１１に記載の装置筐体。
【請求項１３】
前記フラクタルスロットは、前記導電性コーティングから前記金属筐体に延びた複数の部分を有するように構築された請求項１２に記載の装置筐体。
【請求項１４】
前記フラクタルスロットは、前記導電性コーティングにおいて領域を画定し、
前記領域は、前記フラクタルスロットの両端に接地点を含み、静電気放電（ＥＳＤ）保護を提供する請求項１１から１３のいずれか一項に記載の装置筐体。
【請求項１５】
前記フラクタルスロットは、前記ＮＦＣアンテナがワイヤレス・フィディリティー（ＷｉＦｉ）信号周波数で動作するときに、誘導電流への高インピーダンス及び周波数選択性を提供するために調整可能な幅を含む請求項１１から１４のいずれか一項に記載の装置筐体。
【請求項１６】
前記フラクタルスロットは、１ミリメートルの幅を含む請求項１１から１５のいずれか一項に記載の装置筐体。
【請求項１７】
複数の前記フラクタルスロットは、敷き詰められて、前記導電性コーティングにおける領域を画定し、前記領域は、渦電流を前記導電性コーティングへ誘導する電磁場の近接範囲をカバーする請求項１１から１６のいずれか一項に記載の装置筐体。
【請求項１８】
前記非自己ループフラクタル空間充填曲線形状は、ヒルベルト曲線、ペアノ曲線、ルベーグ曲線（a Lebesque Curve）、又はＨツリー曲線を含む請求項１１から１７のいずれか一項に記載の装置筐体。
【請求項１９】
前記非自己ループフラクタル空間充填曲線形状は、連続的なスロットラインを含み、前記フラクタルスロットを画定する請求項１１から１８のいずれか一項に記載の装置筐体。
【請求項２０】
前記非自己ループフラクタル空間充填曲線形状は、より小さなスケールの渦電流の流れをカットする幾何パターンを含み、
前記幾何パターンは、より大きなスケールの渦電流を誘導する電磁場の近接範囲によって画定される領域を形成するために更新された変換関数によって画定される請求項１１から１９のいずれか一項に記載の装置筐体。
【請求項２１】
装置筐体における誘導電流を減少させる方法であって、
複数のフラクタルスロットの下に組み込まれた近距離無線通信アンテナ（ＮＦＣアンテナ）の少なくとも外側ループによって画定された領域をカバーするために他のフラクタルスロットと敷き詰められたフラクタルスロットであって、非自己ループフラクタル空間充填曲線形状を有するフラクタルスロットを提供する段階と、
前記ＮＦＣアンテナによる電磁場を放射する段階と、
前記電磁場によって誘導された電流に高インピーダンスを供給する段階と
を含む方法。
【請求項２２】
前記フラクタルスロットは、金属筐体又はカーボンファイバー筐体に構築される請求項２１に記載の方法。
【請求項２３】
前記フラクタルスロットは、前記少なくとも１つのフラクタルスロットにおいて、連続的なスロットラインを含み、複数のスライスを画定する請求項２１または２２に記載の方法。
【請求項２４】
前記フラクタルスロットは、より小さなスケールの誘導電流の流れをカットする幾何パターンを含み、
前記幾何パターンは、より大きなスケールの誘導電流を生成する前記電磁場の近接範囲によって画定される領域を形成するために更新された変換関数によって画定される請求項２１から２３のいずれか一項に記載の方法。
【請求項２５】
前記ＮＦＣアンテナがワイヤレス・フィディリティー（ＷｉＦｉ）信号周波数で動作するときに、前記誘導電流に高インピーダンスを供給し、周波数選択性を提供するために、前記フラクタルスロットは、調整可能な幅を含む請求項２１から２４のいずれか一項に記載の方法。
【請求項２６】
前記フラクタルスロットは、１ミリメートルの幅を含む請求項２１から２５のいずれか一項に記載の方法。
【請求項２７】
複数の前記フラクタルスロットは、複数の前記フラクタルスロットと前記ＮＦＣアンテナとの間で組み込まれた導電性コーティングを通して延びるように構築され、
前記導電性コーティングにおける前記フラクタルスロットの両端は、静電気放電（ＥＳＤ）保護を維持するために接地される請求項２１から２６のいずれか一項に記載の方法。
【請求項２８】
前記敷き詰められた複数のフラクタルスロットは、導電性コーティングに渦電流を誘導する電磁場の近接範囲を含む前記領域をカバーする請求項２１から２７のいずれか一項に記載の方法。
【請求項２９】
前記非自己ループフラクタル空間充填曲線形状は、ヒルベルト曲線、ペアノ曲線、ルベーグ曲線（a Lebesque Curve）、又はＨツリー曲線を含む請求項２１から２８のいずれか一項に記載の方法。
【請求項３０】
前記誘導電流は、前記ＮＦＣアンテナに入力された入力電流と反対方向に流れる渦電流である請求項２１から２９のいずれか一項に記載の方法。
【発明の詳細な説明】
【技術分野】
【０００１】
（関連出願の相互参照）
本願は、２０１２年７月３日に出願された米国仮特許出願第６１／６６７，５１８号の優先権に関する便益を主張する。
【背景技術】
【０００２】
近年、技術により、近距離結合（例えば、互いにごく接近した携帯デバイス間の無線電力伝送（ＷＰＴ）及び近距離無線通信（ＮＦＣ））が可能になってきている。そのような近距離結合機能は、デバイス内の無線周波数（ＲＦ）アンテナを使用して、電磁場信号の送受信をしてよい。ユーザの要望（及び／又は審美的理由）により、これらの携帯デバイスの多くが、小さく（そして、より小さく）、このような側面で考えたとき、大げさなアスペクト比を有しがちである。その結果、近距離結合機能に用いるための放射アンテナとして導電性材料の複数のコイルを利用し、これらの携帯デバイスの多くはフラットなアンテナを組み込む。
【０００３】
例えば、プラスチック筐体携帯デバイスのＮＦＣアンテナインテグレーションは、カットアウト領域に取り付けられたＮＦＣアンテナが筐体を通じて効果的に放射するように、携帯デバイスのパームレスト領域の下の導電性電磁妨害（ＥＭＩ）コーティングにカットアウトを作成することによって達成されてよい。完全な金属筐体を有するデバイスのために、しばしば、金属筐体を利用して、薄型デザインの機械的強度を維持する。ＮＦＣアンテナは、これを通じて放射するための非金属面を必要とするので、金属筐体の利用は、そのようなデバイス（例えば、ウルトラブックなどの薄型のラップトップコンピュータ）へＮＦＣコイルアンテナを統合するための主要な課題を作成する。
【０００４】
従って、産業デザイン、機械的完全性及び顧客訴求を守るために、ＮＦＣアンテナを薄型金属筐体に統合し、ＮＦＣアンテナ放射の効率性を維持する解決方法が求められる。
【図面の簡単な説明】
【０００５】
【図１】近距離結合配列の実施例に係る無線デバイスを図示する。
【図２Ａ】近距離無線通信（ＮＦＣ）コイルアンテナの例を図示する。
【図２Ｂ】無線デバイスにおけるキーパッド領域の上面図を図示する。
【図３】コイルアンテナ及び導電性コーティングの導電性面の底面図の例を図示する。
【図４Ａ】導電性コーティング及び金属筐体のフラクタルスロットを構成するためのテンプレートとして用いられるフラクタル曲線の第１の配列、第２の配列等の例を図示する。
【図４Ｂ】近距離無線通信（ＮＦＣ）コイルアンテナの領域の異なる四分円に配置されたフラクタルスロットの例を図示する。
【図５】渦電流パスを最小にするために、自己ループを回避する代替的なフラクタル空間充填曲線を図示する。
【図６】無線デバイス筐体の誘導電流を低減するための方法の例を図示する。
【図７】近距離無線通信（ＮＦＣ）に関連する機能を実行するためのシステムデバイスの例を図示する。
【図８】近距離無線通信（ＮＦＣ）に関連する機能を実行するためのデバイスの例を図示する。  添付の図面を参照して、以下の発明を実施するための形態が提供される。  図面では、参照番号の最も左の数字は、参照番号が最初に登場した図面を特定するのが通常である。  異なる図面における同じ参照番号の使用は、同様の、又は、同一の項目を示す。
【発明を実施するための形態】
【０００６】
この文書は、完全金属筐体の携帯デバイス（例えば、ウルトラブック）のパームレストなどの、無線デバイス筐体における誘導電流を低減する、１つ又は複数のシステム、装置、方法等を開示する。ある実施形態では、近距離無線通信（ＮＦＣ）コイルアンテナは、携帯デバイスの完全金属筐体及び導電性コーティングの下に統合されてよい。この実施形態において、導電性コーティングを有する完全金属筐体は、ＮＦＣコイルアンテナによって放射された電磁場によって誘導されるであろう電流（例えば、渦電流）を低減させる特別スロットパターン又はデザインを利用するよう構成され得る。例えば、特別スロットパターン又はデザインは、渦電流のパスを最小にし、渦電流の流れをカットするために、非自己ループフラクタル空間充填曲線形状に適合する、少なくとも１つのフラクタルスロット又はフラクタル面を含んでよい。
【０００７】
ある実施形態では、フラクタルスロットは、自身のユニークな構成（即ち、非自己ループフラクタル空間充填曲線形状）を利用して、又は、ＮＦＣコイルアンテナと金属筐体並びに／若しくは導電性コーティングとの間のカップリングを最小にするために、スロット幅（例えば、１ｍｍ）を調整することによって、渦電流に高インピーダンスを供給してよい。この実施形態において、最小化されたカップリングは、最小化された渦電流を示す。他の実施形態では、フラクタルスロットにおけるスライスされた複数のスロット又はセグメントの方向は、渦電流の想定された方向と垂直になるように構成される。さらに、フラクタルスロットのスロット幅及び／又は幾何パターンを調整することにより、ＮＦＣコイルアンテナがワイヤレス・フィディリティー（ＷｉＦｉ：登録商標）信号に用いられるときに、フラクタルスロットは、周波数選択性を有するように設計されてよい。
【０００８】
ある実施形態では、渦電流に高インピーダンスを供給するように、フラクタルスロットは他のフラクタルスロットに敷き詰められる。さらに、敷き詰められたフラクタルスロットのそれぞれを接地することにより、導電性コーティング又は携帯デバイス中の静電気放電（ＥＳＤ）の保護を高めてよい。
【０００９】
図１は、近距離結合のための携帯デバイスの配列１００の例を図示する。とりわけ、ユーザは、特定の使い勝手のよい方式において、近距離結合が有効とされた携帯型電子デバイス及び／又は他のデバイスを操作する要求を有する。そのような携帯デバイスの例は、これに限定されないが、ウルトラブック、タブレットコンピュータ、ネットブック、ノートブックコンピュータ、ラップトップコンピュータ、携帯電話、セルラーフォン、スマートフォン、携帯情報端末、マルチメディアプレイバックデバイス、デジタル音楽プレーヤ、デジタルビデオプレーヤ、ナビゲーションデバイス、及びデジタルカメラ等を含む。
【００１０】
ある実施形態では、図１は、ＮＦＣ関連情報共有機能を実行するためのＮＦＣ有効携帯デバイス１０２―２及び１０２―４を操作する２人のユーザ（図示されていない）を示す。例えばフロント・トゥ・バック（図示されていない）又はバック・トゥ・バック（図示されていない）方式は、ＮＦＣ通信のために実行されてよい。ある実施形態では、携帯デバイス１０２は、ＮＦＣコイルアンテナ（図示されていない）を介して、クレジットカード１０４、ＮＦＣタグ１０６（又は他の同様のデバイス）から、情報を受け取ってよい。携帯デバイス１０２は、携帯デバイス１０２のパームレスト（図示されていない）又は他の領域に組み込まれたＮＦＣコイルアンテナ（図示されていない）を必要とするかもしれない。例えば、ＮＦＣコイルアンテナ（図示されていない）は、携帯デバイス１０２の金属筐体の下に統合されてよく、又はＮＦＣコイルアンテナ（図示されていない）は、携帯デバイス１０２の導電性コーティングの下に統合されてよい。この例では、携帯デバイス１０２は、ＮＦＣコイルアンテナ（図示されていない）を介して、クレジットカード１０４又はＮＦＣタグ１０６から情報を受け入れてよい。
【００１１】
図２Ａは、ＮＦＣコイルアンテナ２００の例を図示する。ある実施形態では、コイルアンテナ２００は、長方形リング形状を形成するコイルアンテナの連続的な多重ループを含んでよい。コイルアンテナ２００の連続的なループは、携帯デバイス１０２などのプラスチック筐体デバイスの金属筐体（図示されていない）又は導電性コーティング（図示されていない）上に取り付けられ、埋め込まれ、又はそうでなければ関連付けられてよい。コイルアンテナ２００は、ＮＦＣ用途のための専用アンテナを有してよい。言い換えると、コイルアンテナ２００は、別個の共鳴周波数（例えば、ＮＦＣオペレーションを実行するための１３．５６ＭＨｚ）で動作するために構成されてよく、そして無線通信（例えば、ＷｉＦｉ（登録商標）信号のための５ＧＨｚ）用の規格周波数を使用する他のアンテナから独立してよい。他の実施形態では、コイルアンテナ２００は、２．４ＧＨｚ又は５ＧＨｚの動作周波数で動作するＷｉＦｉ（登録商標）信号のために利用されてよい。コイルアンテナ２００は、プリント基板（ＰＣＢ）、フレキシブルプリント基板（ＦＰＣ）、金属ワイヤでできてよく、レーザーダイレクトストラクチャリング（ＬＤＳ）プロセスによって形成され、又は直接、携帯デバイス１０２の金属筐体（図示されていない）及び導電性コーティング（図示されていない）の下に埋め込まれてもよい。
【００１２】
図２Ｂは、携帯デバイス１０２のキーパッド領域２０２の上面図を図示する。ある実施形態では、本実施形態は、筐体２０４に関連付けられ、又は、下に位置付けられた導電性コーティング（図示されていない）のユニークパターン及びデザインを含んでよい。この実施形態において、導電性コーティングは、筐体２０４に関連付けられてよい。筐体２０４は、プラスチック、金属、カーボンファイバー又は他の材料であってよい。例えば、完全金属筐体では、ユニークパターン及びデザインは、導電性コーティングから筐体２０４自身に延伸して実装されてよい。完全金属筐体２０４において、ユニークパターン及びデザインは、金属筐体２０４に複数のスロットを提供することによって実装されてよい。プラスチック筐体２０４では、ユニークパターン及びデザインは、導電性コーティングにのみ延伸してよい。筐体２０４は、デバイス２００内で長方形領域として示されているが、図２Ｂで示されたものを超えて延伸してもよい。例えば、筐体２０４は、デバイス２００より大きな部分又は全体を包含してよい。
【００１３】
ある実施形態では、ユニークパターン及びデザインは、ヒルベルト曲線（図示されていない）などの、非自己ループフラクタル空間充填曲線テンプレート（即ち、フラクタル曲線テンプレート）に基づいて、又は、非自己ループフラクタル空間充填曲線テンプレートから形成されたフラクタルスロット（図示されていない）の構築を含んでよい。この実施形態において、フラクタルスロットは、コイルアンテナ２００がＮＦＣ関連機能を実行し、又は、ＷｉＦｉ（登録商標）信号動作周波数において動作させるように、筐体２０４で構築される。さらに、フラクタルスロットは、導電性コーティングへ渦電流を誘導する電磁場の近接範囲を含む領域をカバーするように構築される。
【００１４】
ある実施形態では、ＮＦＣモジュール２０６は、キーパッド領域２０２の中のどこでも、又は、トラックパッド領域２０８のそば等の他の領域に統合されてよい。ＮＦＣモジュール２０６は、コイルアンテナ２００の電気信号を処理するトランシーバ回路を含んでよい。例えば、ＮＦＣモジュール２０６は、送信又は受信オペレーションの間の最大電力転送のため、コイルアンテナ２００のチューニングを提供するために用いられてよい。他の実施形態において、ＮＦＣモジュール２０６は、シングルモジュールを形成するために、筐体２０４の下のコイルアンテナ２００に統合されてよい。
【００１５】
図３は、筐体２０４に組み込まれたコイルアンテナ２００の底面図を図示する。例えば、コイルアンテナ２００は、組み込まれた、又は、関連付けられた導電性コーティング３００を含む完全金属筐体２０４の下に配置される。この例では、組み込まれた、又は、関連付けられた導電性コーティング３００は、コイルアンテナ２００と筐体２０４との間に位置付けられる。図３は、この構成（即ち、筐体２０４が底部に、導電性コーティング３００が中間に、コイルアンテナ２００が上部に配置された）の逆さま図を示す。
【００１６】
図３を引き続き参照し、電流３０２がコイルアンテナ２００を介して入力されたとき、電磁場（図示されていない）は、コイルアンテナ２００の周囲に生成されてよい。ある実施形態では、導電性コーティング３００の導電性表面３０６における渦電流３０４を電磁場が誘導してよい。この実施形態において、渦電流３０４は、入力された電流３０２の方向に対して反対方向に流れる。その結果、渦電流３０４は、コイルアンテナ２００によって生成された電磁場を部分的に打ち消すであろう、反応的な磁場領域（図示されていない）を生成してよい。この目的のため、コイルアンテナ２００のＮＦＣ実行は、実質的に影響される。言い換えると、完全金属筐体２０４内など、渦電流３０４によって見えるインピーダンスはおよそゼロであり、したがって誘導された渦電流３０４の大きさは高い。渦電流３０４がより強くなればなるほど、弱いＮＦＣフィールド強度がコイルアンテナ２００に生成される。
【００１７】
図４Ａは、携帯デバイス１０２の導電性コーティング及び／又は金属筐体のフラクタルスロット（図示されていない）を構成するためのテンプレートとして用いられるフラクタル曲線の例を図示する。ある実施形態では、図４Ａは、非常に複雑な、又は、不規則なオブジェクトを形成するために通常用いられるフラクタル曲線４００を構築する配列の例を示す。本実施形態では、形成されるオブジェクトは、長方形のコイルアンテナ２００、又は、コイルアンテナ２００によって放射されるであろう電磁場の近接範囲である。ある実施形態では、フラクタル曲線４００は、渦電流３０４に高インピーダンスを供給するために、連続的な非自己ループフラクタル空間充填曲線（例えば、ヒルベルト曲線）を含んでよい。例えば、フラクタル曲線４００は、コイルアンテナ２００及び導電性コーティング３００の間のカップリングを最小化するための特別スロットパターン又はデザインテンプレートを提供してよい。この例では、渦電流３０４の存在を最小化するための導電性コーティング３００及び筐体２０４において、フラクタルスロット（図示されていない）を構成するのにフラクタル曲線４００テンプレートが適合される。
【００１８】
図４Ａを引き続き参照し、（かなり誇張された）第１の配列４００―２、第２の配列４００―４、第３の配列４００―６及び、第１の配列４００―２の連続的な非自己ループ多重バリエーションである第ｎの配列４００―ｎを、特別スロットパターン又はデザインが含んでよい。ある実施形態では、「Ｆ」が変換関数であり、Ｐ０がＸ０及びＹ０などのイニシャルポイントである場合に、第１の配列４００―２は、第１の配列４００―２＝Ｆ*（Ｐ０）で画定されてよい。この実施形態において、フラクタル曲線４００の刷新の特徴は、最初の第１の配列４００―２と自己相似であるより大きな配列を提供してよい。例えば、第２の配列４００―４は、第２の配列４００―２＝Ｆ*（Ｆ*Ｐ０）として定義され、第３の配列４００―６は、第３の配列４００―６＝Ｆ*（Ｆ*（Ｆ*Ｐ０））として定義され、第ｎの配列４００−ｎは、第ｎの配列４００−ｎ＝Ｆｎ*Ｐ０として定義され得る。
【００１９】
ある実施形態では、第ｎの配列４００−ｎは、フラクタルスロット（図示されていない）の構成例を含み、渦電流３０４に高インピーダンスを供給してよい。この実施形態において、非自己ループの第ｎの配列４００−ｎの構成自身は、渦電流３０４に高インピーダンスを供給してよい。他の実施形態では、非自己ループの第ｎの配列４００−ｎの幅４０２は、動的に調整（例えば、１ｍｍ）され、同じ結果を取得してよい。ある実施形態では、第ｎの配列４００―ｎは、さらに、再生成又は他の第ｎの配列４００―ｎのフラクタル曲線テンプレート（即ち、他のフラクタルスロット）と敷き詰められてコイルアンテナ２００をカバーしてよい。言い換えると、コイルアンテナ２００のサイズ、又は、コイルアンテナ２００によって放射された電磁場の少なくとも近接範囲を形成するために用いられたときに、フラクタル曲線４００は、少ない配列／小さなスケールからより多い配列／より大きなスケールに動的に調整されてよい。
【００２０】
図４Ｂは、他のフラクタルスロットと敷き詰められて、コイルアンテナ２００と導電性コーティング３００との間のカップリングを低減するフラクタルスロットの例を図示する。ある実施形態では、フラクタルスロット４０４は、フラクタル曲線４００テンプレートに適合し、又は、フラクタル曲線４００テンプレートからベースとされた、構築された複数のスロット、複数のスライス又は複数のセグメントを含んでよい。例えば、単一のフラクタルスロット４０４は、第ｎの配列４００−ｎフラクタル曲線４００テンプレートに適合するように構成される。この例では、フラクタルスロット４０４は、導電性コーティング３００又は金属筐体２０４上に構築された非自己ループフラクタル空間充填曲線形状を含んでよい。
【００２１】
ある実施形態では、フラクタルスロット４０４は、コイルアンテナ２００によってカバーされた領域、又は、コイルアンテナ２００によって放射された電磁場の近接範囲によって画定された領域の各四分円（即ち、第１、第２、第３及び第４の四分円）において構築されてよい。例えば、フラクタルスロット４０４―２は、第1の四分円に構築され、少なくとも第１の四分円の領域２０４において存在するであろう渦電流３０４に高インピーダンスを供給してよい。この例では、フラクタルスロット４０４―４から４０４−８は、第２、第３及び第４の四分円のそれぞれに構築され、コイルアンテナ２００によって生成されるであろう渦電流３０４に最大のインピーダンスを供給してよい。
【００２２】
ある実施形態では、四分円の数は、対応する接地点４０６の数を提供し、導電性コーティング３００におけるＥＳＤを維持し又は高め、筐体２０４における構築されたフラクタルスロット４０４の剛性を提供してよい。例えば、フラクタルスロット４０４―２の両端を含む、接地点４０６―２及び４０６―４は、取り付けられて、第１の四分円のフラクタルスロット４０４―２を導電性コーティング３００の台に接続してよい。同様に、接地点４０６―６および４０６―８は、第２の四分円における第２のフラクタルスロット４０４―４のために用いられ、接地点４０６―１０および４０６―１２は、第３の四分円における第３のフラクタルスロット４０４―６のために用いられてよい。これらの例では、導電性コーティング３００が存在していないかのように組み込まれたコイルアンテナ２００がＮＦＣ関連機能を実行するように、フラクタルスロット４０４は、導電性コーティング３００を透明な導電性コーティング３００に変更してよい。言い換えると、導電性コーティング３００は、導電性コーティング３００のためのＥＳＤ保護を妥協することなしに、コイルアンテナ２００が、クレジットカード１０４又はＮＦＣタグ１０６を読み取り可能であるように低いカップリング係数を有してよい。金属筐体２０４では、スロット４０４は、導電性コーティング３００から金属筐体２０４にはみ出るように構築されてよい。
【００２３】
図４Ｂを引き続き参照すると、４つの四分円によってカバーされた領域は、コイルアンテナ２００の外周によってカバーされた領域に等しい、またはそれよりも大きくてよい。他の実施形態では、単一のフラクタルスロット４０４は、渦電流３０４（図３参照）を導電性コーティング３００（図３参照）に誘導するであろう電磁場の近接範囲をカバーするために用いられてよい。この実施形態において、フラクタルスロット４０４の周波数選択性は、さらに幅４０２を調整することによって、コイルアンテナ２００からフラクタルスロット４０４までの距離を調整することによって、又は他のフラクタルスロット４０４と敷き詰められるフラクタルスロット４０４の数を動的に調整することによって構成されてよい。
【００２４】
図５は、フラクタルスロット４０４を構成するのに用いられる、別のフラクタル曲線４００テンプレートを図示する。ある実施形態では、図５は、他のフラクタルスロット４０４と敷き詰められるであろうフラクタルスロット４０４によって適合された非自己ループフラクタル曲線４００テンプレートを示す。例えば、ペアノ曲線５００は、図４Ｂの四分円のそれぞれにおける単一のフラクタルスロット４０４によって適合されてよい。同様に、ゼロ配列のルベーグ曲線（a Lebesque Curve）５０２は、再生成されて、単一のフラクタルスロット４０４のためのテンプレートを提供してよい。さらに、Ｈツリー曲線５０４は、単一のフラクタルスロット４０４を構成するためのテンプレートとして利用されてよい。
【００２５】
図６は、無線デバイス筐体における誘導電流を低減するための方法の例を図示するプロセスチャート６００の例を例示する。方法が説明された順序は、制約として解釈することを意図するものではなく、説明された方法ブロックのいずれの数も、方法又は代替的な方法を実行するためにどのような順序にでも結合できる。加えて、個々のブロックは、ここで開示された内容の意図及び範囲から逸脱することなく方法から削除されてもよい。さらに、方法は、本願発明の範囲から逸脱することなく、いずれの適したハードウェア、ソフトウェア、ファームウェア、又はこれらの組み合わせで実行されてもよい。
【００２６】
ブロック６０２において、非自己ループフラクタル空間充填曲線形状を含むためにフラクタルスロットの構築が実行されてよい。ある実施形態では、フラクタルスロット（例えば、フラクタルスロット４０４）は、携帯デバイス（例えば、携帯デバイス１０２）のカーボンファイバー又は金属筐体（例えば、筐体２０４）において提供（構築）される。この実施形態において、フラクタルスロット４０４は、プラスチック筐体２０４の導電性コーティング（例えば、導電性コーティング３００）において構築されてもよく、又は導電性コーティング３００において構築されてもよく、ウルトラブックデザインの場合、完全金属筐体２０４に延びてよい。言い換えると、フラクタルスロット４０４は、完全金属筐体２０４の表面に突出してよい。
【００２７】
ある実施形態では、フラクタルスロット４０４は、フラクタル曲線テンプレート（例えば、フラクタル曲線４００テンプレート）に適合してよく、又は、フラクタル曲線テンプレートからベースとされてよい。この実施形態において、非自己ループフラクタル曲線４００は、第１の配列４００―２、第２の配列４００―４・・・又は、第ｎの配列４００―ｎなどの異なる配列を含んでよい。（より小さな）第１の配列４００―２は、変換関数によって画定され、再生成された幾何パターンを含み、（より大きな）第ｎの配列４００―ｎを提供してよい。言い換えると、フラクタル曲線４００は、第１の配列４００―２が、より大きな配列である第ｎの配列４００―ｎの小さなスケール構成を含むであろう自己相似の特徴を含んでよい。
【００２８】
ある実施形態では、フラクタルスロット４０４は、例えば第１の四分円に第１のフラクタルスロット４０４―２を配置し、第２の四分円に第２のフラクタルスロット４０４―４に配置する等により、他のフラクタルスロット４０４と敷き詰められ、ＮＦＣコイルアンテナ（例えば、コイルアンテナ２００）のサイズ、又は、コイルアンテナ２００によって放射されるであろう電磁場の近接範囲をカバーしてよい。他の実施形態では、単一のフラクタルスロット４０４は、コイルアンテナ２００をカバーするために構成され、又は、設計されてよい。
【００２９】
ある実施形態では、フラクタルスロット４０４は、携帯デバイス１０２の導電性コーティング３００において、ＥＳＤ保護を損なわないように、複数の接地点（例えば、接地点４０６）を含んでよい。この実施形態において、複数の接地点４０６は、複数のフラクタルスロット４０４が互いに隣接して敷き詰められる場合に設置され、コイルアンテナ２００によって生成された電磁場の近接範囲をカバーしてよい。
【００３０】
ブロック６０６において、コイルアンテナによる電磁場の放射が実行されてよい。ある実施形態では、コイルアンテナ２００は、導電性コーティング３００の下に直接埋め込まれてもよい。導電性コーティング３００は、携帯デバイス１０２の筐体２０４に統合されてよい。ある実施形態では、コイルアンテナ２００は、ＮＦＣ関連オペレーションの間、電磁場を放射してよい。
【００３１】
ブロック６０８において、誘導電流への高インピーダンスの供給が実行されてよい。ある実施形態では、フラクタルスロット４０４は、誘導電流（例えば、渦電流３０４）のための高インピーダンスを供給するよう構成されてよい。例えば、フラクタルスロット４０４のための幾何パターンは、コイルアンテナ２００と導電性コーティング３００との間のカップリングを最小にするために構成されてよい。この例では、カップリングの最小化は、渦電流３０４に高インピーダンスを供給してよく、そしてそのようにして、コイルアンテナ２００の磁界強度を高めてよい。さらに、フラクタルスロット４０４幅（例えば、幅４０２）は、高インピーダンスを供給するように調整されてよい。他の実施形態では、フラクタルスロット４０４は、幅４０２の調整を介して周波数を選択し、幾何パターンを定義する変換関数を動的に調整し、又は、コイルアンテナとフラクタルスロット４０４との間の距離を調整できるよう構成されてよい。
【００３２】
本願発明に従った具現化は、特定の実施例のコンテキストにおいて説明される。これらの実施形態は、例示することを意図しており、限定することを意図していない。多くの変形例、修正、追加、及び改善が可能である。従って、１つの事例としてここで開示された構成のために、複数の事例が提供されてよい。様々なコンポーネント、オペレーション及びデータ記憶装置間の境界は、いくらかは任意で、特定の操作は、具体的に例示された構成のコンテキストに図示されている。機能性の他の割り当ては認識されており、以下のクレームの範囲内に含まれ得る。最終的に、様々な構成の別個の構成要素として公開された構造及び機能性は、連成構造物又はコンポーネントとして実装されてよい。これら及び他の変形例、修正、追加及び改良は、以下のクレームによって定義される本願発明の範囲内となる。
【００３３】
図７は、本開示に従ってシステム７００の例を示す。個々の実施形態において、システム７００はこのコンテキストに限られないが、システム７００は、メディアシステムであってよい。例えば、システム７００は、パーソナルコンピュータ（ＰＣ）、ラップトップコンピュータ、ウルトララップトップコンピュータ、タブレット、タッチパッド、ポータブルコンピュータ、ハンドヘルドコンピュータ、パームトップコンピュータ、携帯情報端末（ＰＤＡ）、携帯電話、携帯電話／ＰＤＡの組み合わせ、テレビ、スマートデバイス（例えば、スマートフォン、スマートタブレット、又はスマートテレビ）、モバイルインターネットデバイス（ＭＩＤ）、メッセージングデバイス、データ通信デバイスなどに組み入れられてよい。
【００３４】
個々の実施形態において、システム７００は、ディスプレイ７２０に連結されたプラットフォーム７０２を有する。プラットフォーム７０２は、コンテンツサービスデバイス７３０、又は、コンテンツ配信デバイス７４０、又は、他の同様のコンテンツソース等のコンテンツデバイスからコンテンツを受信してよい。１つ又は複数のナビゲーション機能を含むナビゲーションコントローラ７５０は、例えば、プラットフォーム７０２及び／又はディスプレイ７２０と相互伝達するために用いられてよい。これらのコンポーネントのそれぞれは、より詳細に下記に説明される。
【００３５】
個々の実施形態では、プラットフォーム７０２は、チップセット７０５、プロセッサ７１０、メモリ７１２、ストレージ７１４、グラフィックスサブシステム７１５、アプリケーション７１６、及び／又はラジオ７１８の何らかの組み合わせを含んでよい。チップセット７０５は、プロセッサ７１０、メモリ７１２、ストレージ７１４、グラフィックスサブシステム７１５、アプリケーション７１６及び／又はラジオ７１８の間の相互通信を提供してよい。例えば、チップセット７０５は、ストレージ７１４間の相互通信の提供を可能にするストレージアダプタ（図示されていない）を含んでよい。
【００３６】
プロセッサ７１０は、複雑な命令セットコンピュータ（ＣＩＳＣ）、又は、低減された命令セットコンピュータ（ＲＩＳＣ）プロセッサ、Ｘ８６命令セット互換性のあるプロセッサ、マルチコア又はいずれか他のマイクロプロセッサ若しくは中央処理装置（ＣＰＵ）として実装されてよい。個々の実施形態において、プロセッサ７１０は、デュアルコアプロセッサ、デュアルコアモバイルプロセッサなどであってよい。
【００３７】
メモリ７１２は、限定されるものではないが、ランダムアクセスメモリ（ＲＡＭ）、ダイナミックランダムアクセスメモリ（ＤＲＡＭ）又はスタティックＲＡＭ（ＳＲＡＭ）などの揮発性メモリデバイスとして実装されてよい。
【００３８】
ストレージ７１４は、限定されるものではないが、磁気ディスク、光ディスクドライブ、テープドライブ、内部ストレージデバイス、取り付けストレージデバイス、フラッシュメモリ、バッテリバックアップＳＤＲＡＭ（シンクロナスＤＲＡＭ）、及び／又はネットワークアクセス可能ストレージデバイスなどの不揮発性記憶デバイスとして実装されてよい。個々の実施形態において、ストレージ７１４は、例えば、複数のハードドライブが含まれるときに、価値のあるデジタルメディアのため、ストレージ性能が高められた保護を強めるための技術を含んでよい。
【００３９】
グラフィックスサブシステム７１５は、表示のために静止画または動画などの画像の処理を実行してよい。グラフィックスサブシステム７１５は、例えば、グラフィクスプロセッシングユニット（ＧＰＵ）又はビジュアルプロセッシングユニット（ＶＰＵ）であってよい。アナログ又はデジタルインタフェースは、グラフィックスサブシステム７１５とディスプレイ７２０とを通信可能に結合するために用いられてよい。例えば、インタフェースは、高精細度マルチメディアインタフェース、ディスプレイポート、無線ＨＤＭＩ（登録商標）及び／又は無線ＨＤ準拠技術のいずれであってもよい。グラフィックスサブシステム７１５は、プロセッサ７１０又はチップセット７０５に統合されてもよい。いくつかの実施形態では、グラフィックスサブシステム７１５は、チップセット７０５に通信可能に結合されたスタンドアローンカードであってもよい。
【００４０】
ここで説明されたグラフィック及び／又は動画処理技術は、様々なハードウェアアーキテクチャに実装されてよい。例えば、グラフィック及び／又は動画機能は、チップセット内に統合されてよい。代替的に、ディスクリートのグラフィック及び／又は動画プロセッサが用いられてよい。さらに他の実施形態では、グラフィック及び／又は動画機能は、マルチコアプロセッサを含む汎用プロセッサによって提供されてよい。さらなる実施形態では、機能は家庭用電子機器に実装されてよい。
【００４１】
ラジオ７１８は、様々な適した無線通信技術を用いて信号の送受信を可能にする１又は複数の無線を有してよい。そのような技術は、１つ又は複数の無線ネットワークにまたがった通信を伴ってよい。無線ネットワークの例では、（これに限定されないが）無線ローカルエリアネットワーク（ＷＬＡＮｓ）、無線パーソナルエリアネットワーク（ＷＰＡＮｓ）、無線メトロポリタン領域ネットワーク（ＷＭＡＮｓ）、セルラーネットワーク及び衛星ネットワークを含む。そのようなネットワークにまたがる通信において、ラジオ７１８は、いずれかのバージョンの、１つ又は複数の適用可能規格に従い動作してよい。
【００４２】
個々の実施形態において、ディスプレイ７２０は、任意のテレビ型モニタ又はディスプレイを有してよい。ディスプレイ７２０は、例えば、コンピュータディスプレイ画面、タッチスクリーンディスプレイ、ビデオモニタ、テレビと同等のデバイス及び／又はテレビを含んでよい。ディスプレイ７２０は、デジタル及び／又はアナログであってよい。個々の実施形態において、ディスプレイ７２０は、ホログラフィックディスプレイであってよい。また、ディスプレイ７２０は、視覚投影を受信するであろう透明な面であってよい。そのような投影は、情報、画像及び／又はオブジェクトの様々な形態を伝達してよい。例えば、そのような投影は、モバイル拡張現実（ＭＡＲ）アプリケーションのためのビジュアル オーバーレイであってよい。１つ又は複数のソフトウェアアプリケーション７１６の制御のもとで、プラットフォーム７０２は、ディスプレイ７２０上にユーザインタフェース７２２をディスプレイしてよい。
【００４３】
個々の実施形態において、コンテンツサービスデバイス７３０は、例えば、国内、国際並びに／若しくは独立したサービスのいずれにもてなされ、及びこのようにインターネットを介してプラットフォーム７０２にアクセス可能であってよい。コンテンツサービスデバイス７３０は、プラットフォーム７０２及び／又はディスプレイ７２０に連結されてよい。プラットフォーム７０２及び／又はコンテンツサービスデバイス７３０は、ネットワーク７６０に連結され、ネットワーク７６０へ、及び、ネットワーク７６０からメディア情報を通信（例えば、送信並びに／若しくは受信）してよい。コンテンツ配信デバイス７４０もプラットフォーム７０２及び／又はディスプレイ７２０に連結されてよい。
【００４４】
個々の実施形態において、コンテンツサービスデバイス７３０は、ケーブルテレビボックス、パーソナルコンピュータ、ネットワーク、電話、インターネット利用可能デバイス又はデジタル情報並びに／若しくはコンテンツを配達可能な電気製品、及び、コンテンツプロバイダとプラットフォーム７０２とディスプレイ７２０との間で、ネットワーク７６０を介して若しくは直接、一方向若しくは双方向にコンテンツを通信できる他の同様なデバイスを有してよい。コンテンツは、ネットワーク７６０を介して、システム７００におけるコンポーネントとコンテンツプロバイダのいずれかへ、並びに、コンポーネントとコンテンツプロバイダのいずれかから、一方向及び／又は双方向に通信されてもよいと理解されよう。コンテンツの例は、例えば、動画、音楽、医療及びゲーミング情報などを含むいずれのメディア情報を含んでもよい。
【００４５】
コンテンツサービスデバイス７３０は、メディア情報、デジタル情報及び／又は他のコンテンツを含むケーブルテレビプログラムなどのコンテンツを受信してよい。コンテンツプロバイダの例は、いずれのケーブル若しくは衛星のテレビ若しくはラジオ若しくはコンテンツプロバイダを含んでよい。提供された例は、何ら本開示に従って実施を限定するものでもない。
【００４６】
個々の実施形態において、プラットフォーム７０２は、１つ又は複数のナビゲーション機能を有するナビゲーションコントローラ７５０から制御信号を受信してよい。コントローラ７５０のナビゲーション機能は、例えば、ユーザインタフェース７２２と相互伝達するために用いられてよい。実施形態において、ナビゲーションコントローラ７５０は、ユーザにコンピュータへ空間（例えば、連続的並びに多次元）のデータを入力させる。コンピュータハードウェア構成要素（特に、ヒューマンインタフェースデバイス）であろうポインティングデバイスであってよい。グラフィカルユーザインタフェース（ＧＵＩ）、テレビ、モニタなどのシステムの多くは、ユーザに、身体的なジェスチャを用いてコンピュータ又はテレビにデータを制御させ、及び、提供させる。
【００４７】
コントローラ７５０のナビゲーション機能の動きは、ディスプレイに表示されたポインタ、カーソル、焦点リング、又は、他の視覚インジケータの動きによって、ディスプレイ（例えば、ディスプレイ７２０）上に描写されてよい。例えば、ソフトウェアアプリケーション７１６の制御中に、ナビゲーションコントローラ７５０上に位置付されたナビゲーション機能は、例えば、ユーザインタフェース７２２上に表示された仮想的なナビゲーション機能にマッピングされてよい。実施形態において、コントローラ７５０は、別個コンポーネントではなく、プラットフォーム７０２及び／又はディスプレイ７２０に統合されてよい。本開示は、しかし、要素、又はここで示され、若しくは、説明されたコンテキストに限定されない。
【００４８】
個々の実施形態において、ドライバ（図示されていない）は、例えば、有効になったときに、イニシャルブートアップの後、ボタンのタッチによって、テレビのように、プラットフォーム７０２を即座にオンとオフすることをユーザに可能にするための技術を含んでよい。プログラムロジックは、プラットフォームが「オフ」にされたときでさえ、プラットフォーム７０２に、メディアアダプタ、若しくは、他のコンテンツサービスデバイス７３０、若しくは、コンテンツ配信デバイス７４０へコンテンツをストリームさせてよい。加えて、チップセット７０５は、例えば、５．１サラウンドサウンドオーディオ並びに／若しくは、高精細度７．１サラウンドサウンドオーディオのハードウェア及び／又はソフトウェアサポートを含んでよい。ドライバは、組み込まれたグラフィックプラットフォーム用のグラフィックドライバを含んでよい。実施形態において、グラフィックドライバは、ペリフェラルコンポーネントインターコネクト（ＰＣＩ）エクスプレスグラフィックカードを含んでよい。
【００４９】
個々の実施形態において、システム７００に示されたコンポーネントのうちいずれか１つまたは複数は、統合されてよい。例えば、プラットフォーム７０２及びコンテンツサービスデバイス７３０は統合されてよく、若しくはプラットフォーム７０２とコンテンツ配信デバイス７４０は統合されてよく、若しくは、例えば、プラットフォーム７０２、コンテンツサービスデバイス７３０及びコンテンツ配信デバイス７４０が統合されてよい。様々な実施形態において、プラットフォーム７０２及びディスプレイ７２０は、統合ユニットであってよい。例えば、ディスプレイ７２０及びコンテンツサービスデバイス７３０は統合されてよく、又は、ディスプレイ７２０及びコンテンツ配信デバイス７４０は統合されてよい。これらの例は、本開示を限定するものでもない。
【００５０】
様々な実施形態において、システム７００は、無線システム、有線システム又は両方の組み合わせとして実装されてよい。無線システムとして実装されるとき、システム７００は、１または複数のアンテナ、送信機、受信機、トランシーバ、増幅器、フィルタ、制御論理、その他のような無線共有媒体を通じて通信するために適したコンポーネント及びインタフェースを含んでよい。無線共有媒体の例は、ＲＦスペクトル及びその他のような無線スペクトルの一部を含んでよい。有線システムとして実装されたとき、システム７００は、入出力(Ｉ／Ｏ)アダプタ、Ｉ／Ｏアダプタを対応する有線通信媒体と接続するための物理コネクタ、ネットワークインタフェースカード（ＮＩＣ）、ディスクコントローラ、ビデオコントローラ、オーディオコントローラなどの有線通信媒体を通じた通信に適したコンポーネント及びインタフェースを含んでよい。有線通信媒体の例は、ワイヤ、ケーブル、金属リード、プリント基板（ＰＣＢ）、バックプレーン、スイッチファブリック、半導体材料、ツイストペアワイヤ、同軸ケーブル、光ファイバなどを含んでよい。
【００５１】
プラットフォーム７０２は、情報を通信するための１つ又は複数のロジックチャネルまたは物理チャネルを確立してよい。情報は、メディア情報及び制御情報を含んでよい。メディア情報は、ユーザ向けのコンテンツを表すデータのいずれを指してもよい。コンテンツの例は、例えば、音声会話、ビデオ会議、動画ストリーミング、電子メール（「ｅｍａｉｌ」）メッセージ、ボイスメールメッセージ、英数字記号、グラフィック、画像、動画、文字などからのデータを含んでよい。音声会話からのデータは、例えば、スピーチ情報、沈黙期間、背景ノイズ、快適ノイズ、口調などであってよい。制御情報は、車載システム向けのコマンド、命令、又は制御言語を表すデータのいずれを指してもよい。例えば、制御情報は、システムを介したメディア情報をルーティングし、予め定められやり方においてメディア情報を処理するノードに命令するために用いられてよい。実施形態は、しかし、図７に示され、説明された要素又はコンテキストに限定されない。
【００５２】
上述したよう、システム７００は、物理的スタイル又はフォームファクタを変形することによって具現化されてよい。図７は、システム７００が具現化された小さなフォームファクタデバイス７００の実施を図示する。実施形態において、例えば、デバイス７００は、無線機能を有するモバイルコンピューティングデバイスとして実装されてよい。モバイルコンピューティングデバイスは、例えば、プロセッシングシステムと１つ又は複数のバッテリなどのモバイル電源又は供給とを有するデバイスのいずれを指してもよい。
【００５３】
上述したよう、モバイルコンピューティングデバイスの例は、パーソナルコンピュータ（ＰＣ），ラップトップコンピュータ、ウルトララップトップコンピュータ、タブレット、タッチパッド、ポータブルコンピュータ、ハンドヘルドコンピュータ、パームトップコンピュータ、携帯情報端末（ＰＤＡ）、携帯電話、携帯電話／ＰＤＡの組み合わせ、テレビ、スマートデバイス（例えば、スマートフォン、スマートタブレット若しくはスマートテレビ）、モバイルインターネットデバイス（ＭＩＤ）、メッセージングデバイス、データ通信デバイスなどを含んでよい。
【００５４】
モバイルコンピューティングデバイスの例は、リストコンピュータ、フィンガーコンピュータ、リングコンピュータ、アイグラスコンピュータ、ベルトクリップコンピュータ、アームバンドコンピュータ、シューコンピュータ、クロージング（ｃｌｏｔｈｉｎｇ）コンピュータ及び他のウェアラブルコンピュータなどの、人によって身に付けるよう構成されたコンピュータも含んでもよい。様々な実施形態において、例えば、モバイルコンピューティングデバイスは、音声通信及び／又はデータ通信だけでなく、コンピュータアプリケーションを実行可能なスマートフォンとして実装されてよい。いくつかの実施形態は、例としてスマートフォンとして実装されたモバイルコンピューティングデバイスにより説明されてもよく、同様に、他の無線モバイルコンピューティングデバイスを用いて実装されるであろう他の実施形態で当然理解されてよい。本実施形態は、このコンテキストに限定されない。
【００５５】
図８に示されるように、デバイス８００は、ハウジング８０２（例えば、筐体２０４）、ディスプレイ８０４、入出力（Ｉ／Ｏ）デバイス８０６及びアンテナ８０８を含んでよい。デバイス８００は、ナビゲーション機能８１０を有してもよい。ディスプレイ８０４は、モバイルコンピューティングデバイスに適切な情報を表示するために適したいずれのディスプレイユニットを有してもよい。Ｉ／Ｏデバイス８０６は、モバイルコンピューティングデバイスに情報を入力するために適したいずれのＩ／Ｏデバイスを有してもよい。Ｉ／Ｏデバイス８０６の例は、英数字キーボード、テンキーパッド、タッチパッド、入力キー、ボタン、スイッチ、ロッカースイッチ、マイク、スピーカ、音声認識デバイス及びソフトウェアなどを有してよい。情報は、マイク（図示されていない）を用いてデバイス８００に入力されてもよい。そのような情報は、音声認識デバイス（図示されていない）によってデジタル化されてよい。実施形態は、このコンテキストに限定されない。
【００５６】
いくつかの実施形態では、ハードウェア要素、ソフトウェア要素、又は両方の組み合わせを用いて実装されてよい。ハードウェア要素の例は、プロセッサ、マイクロプロセッサ、回路、回路要素（例えば、トランジスタ、レジスタ、キャパシタ、インダクタなど）、集積回路、特定用途向け集積回路（ＡＳＩＣ）、プログラマブルロジックデバイス（ＰＬＤ）、デジタル信号プロセッサ（ＤＳＰ）、フィールドプログラマブルゲートアレイ（ＦＰＧＡ）、論理ゲート、レジスタ、半導体デバイス、チップ、マイクロチップなどを含んでよい。ソフトウェアの例は、ソフトウェアコンポーネント、プログラム、アプリケーション、コンピュータプログラム、アプリケーションプログラム、システムプログラム、マシンプログラム、オペレーティングシステムソフトウェア、ミドルウェア、ファームウェア、ソフトウェアモジュール、ルーチン、サブルーチン、機能、方法、プロシージャ、ソフトウェアインタフェース、アプリケーションプログラムインタフェース（ＡＰＩ）、命令セット、コンピューティングコード、コンピュータコード、コードセグメント、コンピュータコードセグメント、ワード、値、記号又はそれらのいずれかの組み合わせを有してよい。ハードウェア要素並びに／若しくはソフトウェア要素を用いて実装された実施形態かどうかの判断は、要求される計算レート、パワーレベル、耐熱性、処理サイクルバジェット、インプットデータレート、アウトプットデータレート、メモリリソース、データバス速度及び他のデザイン又は実行制限などのいくつもの要素に従って変化してよい。
【００５７】
少なくとも１つの実施形態の１つ又は複数の態様は、ここで説明された技術を実行させるために、マシンによって読み取られたときに、マシンにロジックを構築させ、プロセッサ内の様々なロジックを表す機械可読媒体に格納された代表的な命令によって実装されてよい。そのような表現は、タンジブル、機械可読媒体に格納されてよく、実際にロジック又はプロセッサを形成する製造マシンに積むための様々なカスタマー若しくは製造設備に供給されてよい「ＩＰコア」として知られる。
【００５８】
ここで記載された特定の機能はいくつかの実施形態を参照して説明されたが、この説明は、限定的な意味に解釈されることを意図したものではない。よって、ここで説明された実施形態の様々な修正は、本開示に関連する当業者が本開示の思想と範囲の内であると考えることが明らかな他の実施形態と同様である。
【００５９】
本願発明に従った具現化は特定の実施例のコンテキストの中で説明された。これらの実施形態は、限定的ではなく、例示的であることを意図している。多くの変形例、修正、追加及び改良が可能である。従って、単一の事例としてここで開示された構成のために、複数の事例が提供されてよい。様々なコンポーネント、オペレーション及びデータ記憶装置は、いくらかは任意で、特定のオペレーションは、具体的に例示された構成のコンテキストに示されている。機能性の他の割り当ては認識されており、以下のクレームの範囲内に含まれ得る。最終的に、様々な構成の別個のコンポーネントとして公開された構造及び機能性は、連成構造物又はコンポーネントとして実装されてよい。これら及び他の変形例、修正、追加及び改良は、以下のクレームによって定義される本願発明の範囲内となる。
【図１】
0006025159.tif 000002
【図２Ａ】
0006025159.tif 000003
【図２Ｂ】
0006025159.tif 000004
【図３】
0006025159.tif 000005
【図４Ａ】
0006025159.tif 000006
【図４Ｂ】
0006025159.tif 000007
【図５】
0006025159.tif 000008
【図６】
0006025159.tif 000009
【図７】
0006025159.tif 000010
【図８】
0006025159.tif 000011